(57)【要約】【課題】板クランプのスライド方向を安定させると共に、チューブの開口端から流出する液体の飛び散りを抑制した医療器具を提供する。【解決手段】医療器具は、開口端１７を有するチューブ１５と、チューブ１５の外径寸法より広い幅広部２７Ａ及び狭い幅狭部２７Ｂを含む貫通孔２７が形成され、長手方向に沿って湾曲した板クランプ２２と、チューブ１５及び板クランプ２２を互いに交差する向きに向けて保持する保持部材２１とを備える。保持部材２１は、各々が板クランプ２２の湾曲形状に沿って湾曲し且つ互いに対向する一対の湾曲壁３０、３１の間で板クランプ２２をスライド可能に保持し、一対の湾曲壁３０、３１の対向方向において貫通孔２７に挿通されたチューブ１５に貫通された開口３６、３７を有する。また、板クランプ２２は、把持部２８を有しており、把持部２８が移動されることによって保持部材２１に沿ってスライドする。【選択図】図４
2015119763.tif 000002
【特許請求の範囲】
【請求項１】
開口端を有するチューブと、
上記チューブの外径寸法より広い幅広部及び上記チューブの外径寸法より狭い幅狭部が長手方向に沿って連続した貫通孔を有しており、長手方向に沿って湾曲した湾曲形状の板クランプと、
上記チューブ及び上記板クランプを互いに交差する向きに向けて保持する保持部材と、
を備えており、
上記保持部材は、各々が上記板クランプの湾曲形状に沿って湾曲し且つ互いに対向する一対の湾曲壁の間で上記板クランプをスライド可能に保持しており、上記一対の湾曲壁の対向方向に沿って貫通し且つ上記貫通孔に挿通された上記チューブが挿通されたチューブ貫通孔を有しており、
上記板クランプは、把持部を有しており、上記把持部が移動されることによって上記保持部材に沿ってスライドする医療器具。
【請求項２】
上記保持部材には、上記スライド方向に延びる溝が形成されており、
上記把持部は、上記溝を通じて上記保持部材の外部に露出される請求項１に記載の医療器具。
【請求項３】
上記保持部材は、
上記スライド方向の一端側において上記溝に隣接する位置に設けられており、上記幅広部において上記チューブを保持している上記板クランプの上記把持部によって乗り越えられる第１突起と、
上記スライド方向の他端側において上記溝に隣接する位置に設けられており、上記幅狭部において上記チューブを保持している上記板クランプの上記把持部によって乗り越えられる第２突起と、を有する請求項２に記載の医療器具。
【請求項４】
上記保持部材は、上記チューブの向きに上記チューブ貫通孔から突出して上記チューブを保持する筒状部を有する請求項１から３のいずれかに記載の医療器具。
【発明の詳細な説明】
【技術分野】
【０００１】
本発明は、チューブ内における液体の流通を許容或いは規制する医療器具に関する。
【背景技術】
【０００２】
従来から、液体が流通するチューブをクランプすることによって、当該チューブ内における液体の流通を規制するクランプ装置が知られている。例えば、特許文献１には、チューブからの液体の排出を許容或いは規制する板クランプが開示されている。
【０００３】
特許文献１に記載されている板クランプには、厚み方向に貫通する貫通孔が設けられている。この貫通孔は、チューブの外径寸法より広い幅広部と、チューブの外径寸法より狭い幅狭部とが設けられている。そして、この貫通孔にチューブを挿通した状態で板クランプをチューブと交差する方向にスライドさせると、チューブが幅広部に位置する時に液体の流通が許容され、チューブが幅狭部に位置する時に液体の流通が規制される。
【先行技術文献】
【特許文献】
【０００４】
【特許文献１】特開２００５−１３７５６９号公報
【発明の概要】
【発明が解決しようとする課題】
【０００５】
しかしながら、特許文献１の構成では、チューブを押さえた状態で板クランプをスライドさせなければならないので、スライド時にチューブが折れて、チューブ内に残留した液体が飛び散る可能性がある。また、板クランプのスライド向きが不安定になって、チューブを幅広部から幅狭部に確実に移動させることができない可能性がある。
【０００６】
本発明は、上記の事情に鑑みてなされたものであり、その目的は、チューブの開口端から流出する液体の飛び散りを抑制すると共に、板クランプのスライド方向を安定させた医療器具を提供することにある。
【課題を解決するための手段】
【０００７】
(1)  本発明に係る医療器具は、開口端を有するチューブと、上記チューブの外径寸法より広い幅広部及び上記チューブの外径寸法より狭い幅狭部が長手方向に沿って連続した貫通孔を有しており、長手方向に沿って湾曲した湾曲形状の板クランプと、上記チューブ及び上記板クランプを互いに交差する向きに向けて保持する保持部材とを備える。上記保持部材は、各々が上記板クランプの湾曲形状に沿って湾曲し且つ互いに対向する一対の湾曲壁の間で上記板クランプをスライド可能に保持しており、上記一対の湾曲壁の対向方向に沿って貫通し且つ上記貫通孔に挿通された上記チューブが挿通されたチューブ貫通孔を有する。上記板クランプは、把持部を有しており、上記把持部が移動されることによって上記保持部材に沿ってスライドする。
【０００８】
上記構成によれば、板クランプのスライド方向へのスライドが一対の湾曲壁によって案内されるので、幅広部及び幅狭部の間におけるチューブの移動を確実に行うことができる。また、チューブが保持部材に保持された状態で把持部を操作することにより、チューブを手で押さえておかなくてもクランプ時の液体の飛び散りを抑制することができる。さらに、板クランプを湾曲するスライド方向に沿ってスライド可能とすることにより、直線的にスライドさせる場合と比較して、スライド方向における省スペース化を実現することができる。
【０００９】
(2)  好ましくは、上記保持部材には、上記スライド方向に延びる溝が形成されている。そして、上記把持部は、上記溝を通じて上記保持部材の外部に露出される。
【００１０】
上記構成によれば、ユーザは、把持部を溝に沿ってスライド方向にスライドさせることにより、幅広部及び幅狭部の間でチューブを移動させることができる。
【００１１】
(3)  好ましくは、上記保持部材は、上記スライド方向の一端側において上記溝に隣接する位置に設けられており、上記幅広部において上記チューブを保持している上記板クランプの上記把持部によって乗り越えられる第１突起と、上記スライド方向の他端側において上記溝に隣接する位置に設けられており、上記幅狭部において上記チューブを保持している上記板クランプの上記把持部によって乗り越えられる第２突起とを有する。
【００１２】
上記構成によれば、把持部が第１突起及び第２突起を乗り越えるまで板クランプをスライドさせることにより、幅広部及び幅狭部の間におけるチューブの移動を確実に行うことができる。また、把持部が第１突起及び第２突起を乗り越える際の抵抗によって、チューブの移動をユーザに認識させることができる。
【００１３】
(4)  好ましくは、上記保持部材は、上記チューブの向きに上記チューブ貫通孔から突出して上記チューブを保持する筒状部を有する。
【００１４】
上記構成によれば、筒状部によってチューブがさらに安定して保持されるので、チューブの開口端側が暴れて、液体が飛び散るのをさらに有効に抑制することができる。
【発明の効果】
【００１５】
本発明によれば、板クランプのスライド方向へのスライドが一対の湾曲壁によって案内されるので、幅広部及び幅狭部の間におけるチューブの移動を確実に行うことができる。また、チューブが保持部材に保持された状態で把持部を操作することにより、チューブを手で押さえておかなくてもクランプ時の液体の飛び散りを抑制することができる。さらに、板クランプを湾曲するスライド方向に沿ってスライド可能とすることにより、直線的にスライドさせる場合と比較して、スライド方向における省スペース化を実現することができる。
【図面の簡単な説明】
【００１６】
【図１】図１は、本実施形態における尿バッグ１０の正面図である。
【図２】図２は、（Ａ）許容状態及び（Ｂ）規制状態におけるクランプ装置２０の前方斜視図である。
【図３】図３は、（Ａ）許容状態及び（Ｂ）規制状態におけるクランプ装置２０の後方斜視図である。
【図４】図４は、（Ａ）許容状態及び（Ｂ）規制状態におけるクランプ装置２０の縦断面図である。
【図５】図５は、板クランプ２２の（Ａ）後方斜視図及び（Ｂ）正面図である。
【図６】図６は、（Ａ）許容状態及び（Ｂ）規制状態における板クランプ２２に挿通された排尿チューブ１５の状態を示す図である。
【発明を実施するための形態】
【００１７】
以下、図面が参照されつつ本発明の実施形態が説明される。なお、本実施形態は、本発明の一例にすぎず、本発明の要旨が変更されない範囲において、本実施形態が適宜変更されてもよいことは言うまでもない。
【００１８】
図１は、本実施形態における尿バッグ１０（本発明の医療器具の一例）の平面図である。尿バッグ１０は、図１に示されるように、容器１１と、導尿チューブ１４と、排尿チューブ１５（本発明のチューブの一例）と、クランプ装置２０（本発明の医療器具の他の例）とを備える。
【００１９】
容器１１は、内部空間に尿を貯留するものであり、例えば、ポリ塩化ビニルなどの軟質性樹脂で袋状に形成されている。また、容器１１の上部には、ベッドの柵などに尿バッグ１０を係止するための係止部１２が設けられている。さらに、容器１１の表面には、容器１１内に貯留された尿の量を計測する目盛り１３が設けられている。
【００２０】
導尿チューブ１４は、一端が尿道カテーテル（不図示）に接続され、他端が容器１１に接続される。なお、本実施形態における導尿チューブ１４は、容器１１の上部に接続される。また、導尿チューブ１４は、例えば、ラテックスなどの可撓性材料で形成されている。これにより、尿道カテーテルを通じて患者の体外に排出された尿は、導尿チューブ１４を通じて容器１１に導かれる。
【００２１】
排尿チューブ１５は、一端（接続端１６）が容器１１に接続され、他端（開口端１７）が開口している。なお、本実施形態における排尿チューブ１５は、容器１１の下部に接続されている。排尿チューブ１５は、例えば、ＡＢＳ樹脂などで形成されている。また、排尿チューブ１５は、容器１１との接続端１６を回動基端とし、開口端１７を回動先端として回動可能に構成されている。さらに、排尿チューブ１５には、排尿チューブ１５内の尿の流通を許容或いは規制するためのクランプ装置２０が取り付けられている。
【００２２】
すなわち、容器１１内に尿を貯留させておく場合には、図１に示されるように、クランプ装置２０によって排尿チューブ１５内の尿の流通を規制し、且つ開口端１７が接続端１６より上方に位置するように排尿チューブ１５を回動させればよい。一方、容器１１内の尿を排尿チューブ１５を通じて排出する場合には、クランプ装置２０によって排尿チューブ１５内の尿の流通を許容し、且つ開口端１７が接続端１６より下方に位置するように排尿チューブ１５を回動させればよい。
【００２３】
図２〜図６を参照して、本実施形態におけるクランプ装置２０を説明する。クランプ装置２０は、図２及び図３に示される保持部材２１と、図５に示される板クランプ２２とで構成される。なお、以下の説明において、図２〜図６に示される上下方向７、前後方向８、及び左右方向９を基準として各構成要素の位置関係を説明する。但し、これは各構成要素の絶対的な位置関係を表すものではない。すなわち、図２〜図６に示される上下方向７、前後方向８、及び左右方向９は、互いに直交する第１方向、第２方向、及び第３方向と読み替えることができる。
【００２４】
保持部材２１は、図２に示されるように、ガイド部２３と、第１筒状部２４と、第２筒状部２５とで構成されている。保持部材２１は、例えば、排尿チューブ１５より硬質の樹脂材料で形成されている。保持部材２１は、排尿チューブ１５及び板クランプ２２を互いに交差する向きに向けて保持する。具体的には、保持部材２１は、前後方向８に延びる排尿チューブ１５と、長手方向をスライド方向６に向けた板クランプ２２とを保持している。そして、保持部材２１に保持された板クランプ２２は、スライド方向６にスライドすることによって、排尿チューブ１５内の尿の流通を許容或いは規制する。なお、本実施形態におけるスライド方向６とは、上下方向７及び前後方向８を含む平面において湾曲した方向を指すものとする。
【００２５】
ガイド部２３は、図２及び図３に示されるように、各々がスライド方向６に沿って湾曲し且つ互いに対向する前壁３０及び後壁３１と、前壁３０及び後壁３１の左端同士を接続する左壁３２とを有する。ガイド部２３は、前壁３０、後壁３１、及び左壁３２によって内部空間が区画されている。そして、ガイド部２３の内部空間には、図４に示されるように、互いに交差する向きを向いた排尿チューブ１５及び板クランプ２２が保持される。前壁３０及び後壁３１は、本発明の一対の湾曲壁の一例である。なお、図３に示されるように、本実施形態では、前壁３０及び後壁３１の右端同士の間が開放されているが、前壁３０及び後壁３１の右端同士を接続する右壁をさらに設けてもよい。
【００２６】
前壁３０には、第１筒状部２４より上方に位置する部分においてスライド方向６に沿って延びる溝３３が形成されている。スライド方向６において、溝３３の一方側（第１筒状部２４に近い側）は閉鎖されており（以下、「閉鎖端３３Ａ」と表記する。）、他方側（第１筒状部２４から遠い側）は開放されている（以下、「開放端３３Ｂ」と表記する。）。また、閉鎖端３３Ａ側において溝３３に隣接する位置には、第１突起３４が設けられている。さらに、開放端３３Ｂ側において溝３３に隣接する位置には、第２突起３５が設けられている。本実施形態における第１突起３４及び第２突起３５は、左右方向９における溝３３の両側に設けられている。この第１突起３４及び第２突起３５は、板クランプ２２がスライド方向６にスライドする過程において後述する把持部２８に接触し得る位置に設けられており、板クランプ２２のスライドの抵抗となり且つ把持部２８が乗り越えられる程度の高さに設定されている。
【００２７】
スライド方向６におけるガイド部２３の一方側端部（第１筒状部２４より上方に位置する側の端部）は、図３に示されるように、開放されている。一方、スライド方向６におけるガイド部２３の他方側端部（第１筒状部２４より下方に位置する側の端部）は、第１筒状部２４の外周面によって閉鎖されている。さらに、ガイド部２３の第１筒状部２４より上方に位置する部分と第１筒状部２４との間には、上下方向７及び前後方向８に広がる接続壁３８が設けられている。また、前壁３０及び後壁３１には、図４に示されるように、排尿チューブ１５に貫通される開口３６、３７が設けられている。開口３６、３７は、本発明のチューブ貫通孔の一例である。なお、図４に示される断面では、接続壁３８の図示が省略されている。
【００２８】
第１筒状部２４は、図２及び図３に示されるように、排尿チューブ１５の延出方向（すなわち、前後方向８）に沿って延設されている。第１筒状部２４は、図４に示されるように、開口３６、３７を囲む位置において前壁３０及び後壁３１を貫通しており、内部で排尿チューブ１５を保持する。より詳細には、第１筒状部２４は、開口３６を囲む位置から前方に突出する部分と、開口３７を囲む位置から後方に突出する部分とで構成されている。また、ガイド部２３と第１筒状部２４とは互いに交差している。より詳細には、前壁３０及び後壁の開口３６、３７の位置における接線方向と、第１筒状部２４の軸線方向とは、互いに交差（図４の例では、直交）している。換言すれば、ガイド部２３に保持される板クランプ２２の開口３６、３７の位置における接線方向と、第１筒状部２４に保持される排尿チューブ１５の軸線方向とは、互いに交差（図４の例では、直交）している。
【００２９】
第１筒状部２４の内径寸法は、排尿チューブ１５の外径寸法より僅かに大きく設定されており、前後方向８において概ね一定である。第１筒状部２４の前端（前後方向８における前方側の端部）には第２筒状部２５が設けられており、後端（前後方向８における後方側の端部）は開口している。そして、第１筒状部２４の内部には、開口端１７を先端とした排尿チューブ１５が後端の開口を通じて挿入される。さらに、第１筒状部２４の前端（すなわち、第２筒状部２５が設けられた側の端部）には、図２及び図３に示されるように、第１筒状部２４の外周面から径方向外向きに広がるフランジ部２６が形成されている。
【００３０】
第２筒状部２５は、図２及び図３に示されるように、第１筒状部２４の先端（前後方向８の前方側の端部）に設けられている。より詳細には、第２筒状部２５の一方側の端部は、図４に示されるように、第１筒状部２４の内部に延設されており、開口端１７を通じて排尿チューブ１５に挿入されている。すなわち、第２筒状部２５の外径寸法は、排尿チューブ１５の内径寸法と同一、或いは排尿チューブ１５の内径寸法より僅かに大きく設定されている。一方、第２筒状部２５の他方側の端部は、第１筒状部２４から離れる向きに延設されて外部に開口されている。
【００３１】
第１筒状部２４及び第２筒状部２５の内部空間は、図４に示されるように、連通している。また、排尿チューブ１５は、第１筒状部２４に挿入され且つ開口端１７に第２筒状部２５が嵌め込まれている。すなわち、第１筒状部２４に挿入された排尿チューブ１５は、第２筒状部２５を通じて外部と連通している。
【００３２】
板クランプ２２は、図５（Ａ）に示されるように、長手方向（スライド方向６）に沿って湾曲した板状の部材である。板クランプ２２は、ガイド部２３の前壁３０及び後壁３１の湾曲形状に沿って湾曲している。換言すれば、ガイド部２３の前壁３０及び後壁３１は、板クランプ２２の湾曲形状に沿って湾曲しているすなわち、ガイド部２３の前壁３０及び後壁３１と板クランプ２２とは、概ね同一の曲率で湾曲している。
【００３３】
また、板クランプ２２には、厚み方向に貫通する貫通孔２７が形成されている。貫通孔２７は、図５（Ｂ）に示されるように、幅広部２７Ａと幅狭部２７Ｂとで構成される。幅広部２７Ａは、左右方向９における開口幅が幅狭部２７Ｂより広い。より詳細には、左右方向９における幅広部２７Ａの開口幅は、排尿チューブ１５の外径寸法より広い。一方、幅狭部２７Ｂは、左右方向９における開口幅が幅広部２７Ａより狭い。より詳細には、左右方向９における幅狭部２７Ｂの開口幅は、排尿チューブ１５の肉厚の２倍より僅かに狭い。また、幅広部２７Ａ及び幅狭部２７Ｂは、板クランプ２２の長手方向（すなわち、スライド方向６）に沿って連続している。
【００３４】
さらに、板クランプ２２には、図５（Ａ）に示されるように、厚み方向の一方側の面（湾曲外側の面）から突出した把持部２８が設けられている。より詳細には、把持部２８は、板クランプ２２の長手方向において、幅広部２７Ａが形成された側の端部に設けられている。把持部２８は、板クランプ２２に突設された基部２８Ａと、基部２８Ａの先端に設けられた把手２８Ｂとで構成される。基部２８Ａの左右方向９の幅は、前壁３０に設けられた溝３３の左右方向９の開口幅より狭い。一方、把手２８Ｂの左右方向９の幅は、溝３３の左右方向９の開口幅より広い。
【００３５】
上記構成の板クランプ２２は、長手方向における幅狭部２７Ｂ側の端部を先端として開口されたガイド部２３の一方側端部を通じてガイド部２３の内部空間に挿入される。このとき、把持部２８の基部２８Ａが溝３３に嵌まり込んで把手２８Ｂがガイド部２３から露出される。また、板クランプ２２が挿入された保持部材２１の第１筒状部２４に排尿チューブ１５が挿入される。これにより、図４に示されるように、長手方向をスライド方向６に向けてガイド部２３に保持された板クランプ２２の貫通孔２７に、前後方向８に延びる排尿チューブ１５が挿通される。
【００３６】
また、板クランプ２２は、ガイド部２３の内部空間を区画する内壁面に案内されてスライド方向６にスライド可能となっている。より詳細には、板クランプ２２は、図２（Ａ）及び図３（Ａ）に示されるように、把手２８Ｂが第１突起３４を閉鎖端３３Ａ側に乗り越えた位置と、図２（Ｂ）及び図３（Ｂ）に示されるように、把手２８Ｂが第２突起３５を開放端３３Ｂ側に乗り越えた位置との間でスライド可能となっている。このとき、前壁３０、後壁３１、及び左壁３２の内壁面に当接することによって、板クランプ２２のスライド方向６へのスライドが案内される。
【００３７】
図２（Ａ）、図３（Ａ）、及び図４（Ａ）に示される位置（すなわち、把手２８Ｂが第１突起３４を閉鎖端３３Ａ側に乗り越えた位置）に板クランプ２２が配置されているとき、ガイド部２３の開口３６、３７と、板クランプ２２の貫通孔２７の幅広部２７Ａとが前後方向８において概ね一直線上に並ぶ。その結果、保持部材２１によって保持されている排尿チューブ１５は、図６（Ａ）に示されるように、幅広部２７Ａの位置において板クランプ２２の貫通孔２７に挿通されている。そして、幅広部２７Ａの開口幅は排尿チューブ１５の外径寸法より広いので、この状態（以下、「許容状態」と表記する。）におけるクランプ装置２０は、排尿チューブ１５内の尿の流通を許容している。
【００３８】
一方、図２（Ｂ）、図３（Ｂ）、及び図４（Ｂ）に示される位置（すなわち、把手２８Ｂが第２突起３５を開放端３３Ｂ側に乗り越えた位置）に板クランプ２２が配置されているとき、ガイド部２３の開口３６、３７と、板クランプ２２の貫通孔２７の幅狭部２７Ｂとが前後方向８において概ね一直線上に並ぶ。その結果、保持部材２１によって保持されている排尿チューブ１５は、図６（Ｂ）に示されるように、幅狭部２７Ｂの位置において板クランプ２２の貫通孔２７に挿通されている。そして、幅狭部２７Ｂの開口幅は排尿チューブ１５の肉厚の２倍より狭いので、排尿チューブ１５は、幅狭部２７Ｂによって押しつぶされた状態となっている。すなわち、この状態（以下、「規制状態」と表記する。）におけるクランプ装置２０は、排尿チューブ１５内の尿の流通を規制している。
【００３９】
［本実施形態の作用効果］
本実施形態におけるクランプ装置２０は、例えば以下のように操作されることによって、許容状態と規制状態とが切り替えられる。まず、図２（Ａ）及び図３（Ａ）に示される許容状態のクランプ装置２０に対して、把手２８Ｂに指を掛けたユーザは、スライド向き６に沿って溝３３の開放端３３Ｂ側に板クランプ２２をスライドさせる。そして、把手２８Ｂが第２突起３５を開放端３３Ｂ側に乗り越えるまで（すなわち、図２（Ｂ）及び図３（Ｂ）に示される位置まで）板クランプ２２をスライドさせることにより、クランプ装置２０が許容状態から規制状態に切り替わる。
【００４０】
ここで、開放端３３Ｂ側にスライドされる板クランプ２２は、前壁３０及び後壁３１の内壁面に当接することによって前後方向８への傾きが規制され、左壁３２の内壁面に当接することによって左右方向９への傾きが規制される。すなわち、ガイド部２３は、板クランプ２２がスライドされる過程において、開口３６、３７の位置における板クランプ２２の接線方向と排尿チューブ１５との交差角度（本実施形態では、９０°）が変動するのを規制することができる。これにより、排尿チューブ１５を幅広部２７Ａから幅狭部２７Ｂに確実に移動させることができる。なお、開口３６、３７の位置における板クランプ２２の接線方向と排尿チューブ１５との交差角度は９０°に限定されないが、９０°に近い角度であることが望ましい。
【００４１】
また、本実施形態によれば、排尿チューブ１５の開口端１７側に第２筒状部２５の一端が挿入されることにより、開口端１７が直接外部に露出しない。これにより、幅狭部２７Ｂに押し込まれる際に排尿チューブ１５の開口端１７側が暴れて、尿が飛び散るのを抑制することができる。但し、第２筒状部２５は本発明に必須の構成要素ではなく、省略することができる。
【００４２】
また、本実施形態によれば、湾曲するスライド方向６に沿って板クランプ２２をスライド可能とすることにより、板クランプ２２を直線的にスライドさせる場合と比較して、スライド方向６におけるクランプ装置２０の省スペース化を実現することができる。
【００４３】
また、本実施形態によれば、第１筒状部２４にフランジ部２６を設けたことにより、図１の状態において、第２筒状部２５の先端から外周面を伝って流れ落ちる尿で第１筒状部２４が汚染されるのを抑制することができる。その結果、クランプ装置２０を衛生的に操作することができる。
【００４４】
また、本実施形態によれば、溝３３に隣接する位置に第１突起３４及び第２突起３５を設け、把手２８Ｂがこれらを乗り越えるまでユーザに板クランプ２２をスライドさせることにより、許容状態と規制状態とを確実に切り換えることができると共に、状態が切り替わったことをユーザに認識させることができる。
【００４５】
また、上記実施例における保持部材２１は、非可撓な硬度を有する硬質樹脂で成型されている。このようにすることで、使用者は安心して保持部材２１を保持できるとともに、保持部材２１を保持しつつ板クランプ２２を力強く押圧することができる。さらに、排尿チューブ１５を安定的に保持することができるため、排尿チューブ１５の先端からの液体の飛び散りを好適に抑制可能である。しかしながら、本発明の課題（板クランプ２２のガイドおよび排尿チューブ１５の先端からの液体の飛び散りの抑制）は、保持部材２１の材質に限らず、排尿チューブ１５の開口端１７側が保持部材２１によって保持されていれば、解決可能である。従って、保持部材２１を構成する材料は、非可撓性の硬質樹脂が好適であるが、軟質樹脂であってもよいし、可撓性を有していてもよい。
【００４６】
また、本実施形態では、医療器具の一例として尿を貯留する尿バッグ１０を説明したが、本発明はこれに限定されない。すなわち、本発明は、液体（典型的には、体液）を排出するドレインチューブと、当該ドレインチューブ内の液体の流通を許容或いは規制するクランプ装置２０とを備えるあらゆる医療器具に適用することができる。
【００４７】
さらに、本実施形態では、一対の湾曲壁の一方である前壁３０に溝３３が形成されているが、左壁３２に溝を形成してもよいし、開放された右側面から把持部２８を外部に露出させてもよい。また、本実施形態のように、把持部２８は板クランプ２２から突出する突起でなくともよい。例えば、板クランプ２２を把持可能な程度の大きさの切り欠きを保持部材２１に設ける態様であれば、当該切り欠きから露出する板クランプ２２の端部が把持部となる。
【符号の説明】
【００４８】
１０・・・尿バッグ
１１・・・容器
１５・・・排尿チューブ
１７・・・開口端
２０・・・クランプ装置
２１・・・保持部材
２２・・・板クランプ
２３・・・ガイド部
２４・・・第１筒状部
２５・・・第２筒状部
２６・・・フランジ部
２７・・・貫通孔
２７Ａ・・・幅広部
２７Ｂ・・・幅狭部
２８・・・把持部
３０・・・前壁
３１・・・後壁
３３・・・溝
３４・・・第１突起
３５・・・第２突起
【図１】
2015119763.tif 000003
【図２】
2015119763.tif 000004
【図３】
2015119763.tif 000005
【図４】
2015119763.tif 000006
【図５】
2015119763.tif 000007
【図６】
2015119763.tif 000008